(57)【要約】      （修正有）【課題】良好な導音効果を有する耳栓構造、及び良好な導音効果を有するイヤホン装置を提供する。【解決手段】導音部１００と、本体部２００と、導音部材と、を備える耳栓構造１０であって、導音部１００は、耳の耳道に挿入することに適し、導音チャンバ及び導音出力開口を含み、導音チャンバは導音部１００の内部に設けられ、導音出力開口は導音部１００に設けられ、音を耳道に出力するために用いられ、本体部２００は、導音部１００から外に延在し、耳の耳介領域に対して適合し、収容空間及び開口２２０を含み、収容空間は本体部２００の内部に設けられ、且つ導音チャンバに連通し、開口２２０は本体部２００に設けられ、且つ収容空間に連通し、導音部材は、導音チャンバ内に位置づけられている。【選択図】図１
0003213227.tif 000002
【実用新案登録請求の範囲】
【請求項１】
導音部と、本体部と、導音部材と、を備える耳栓構造であって、
前記導音部は、耳の耳道に挿入することに適し、導音チャンバ及び導音出力開口を含み、前記導音チャンバは前記導音部の内部に設けられ、前記導音出力開口は前記導音部に設けられ、音を前記耳道に出力するために用いられ、
前記本体部は、前記導音部から外に延在し、耳の耳介領域に対して適合し、収容空間及び開口を含み、前記収容空間は前記本体部の内部に設けられ、且つ前記導音チャンバに連通し、前記開口は前記本体部に設けられ、且つ前記収容空間に連通し、
前記導音部材は、前記導音チャンバ内に位置づけられている耳栓構造。
【請求項２】
前記導音部材は、湾曲した管状構造である請求項１に記載の耳栓構造。
【請求項３】
前記導音部材は、前開口及び導音通路を含み、前記前開口は前記本体部に向かい、前記導音通路は前記導音部材の内部に設けられ、且つ前記前開口に連通する請求項１に記載の耳栓構造。
【請求項４】
前記導音部の内面に複数の支持バーが設けられている請求項１に記載の耳栓構造。
【請求項５】
前記支持バーは、複数の軟性支持バーであって、隙間を形成するためのものである請求項４に記載の耳栓構造。
【請求項６】
前記本体部の内面にストッパーが設けられている請求項１に記載の耳栓構造。
【請求項７】
前記ストッパーは、前記本体部の前記内面に沿って取り囲まれて、開孔を形成する請求項６に記載の耳栓構造。
【請求項８】
前記ストッパーの設置位置は前記導音部に近い請求項６に記載の耳栓構造。
【請求項９】
前記導音部は、湾曲した管状構造である請求項１に記載の耳栓構造。
【請求項１０】
前記開口の向かう方向は、前記導音出力開口の向かう方向と異なる請求項１に記載の耳栓構造。
【請求項１１】
前記導音部の幅は前記本体部の幅より小さい請求項１に記載の耳栓構造。
【請求項１２】
前記導音部が前記耳道に挿入された場合に、前記本体部は耳の外耳内に位置する請求項１に記載の耳栓構造。
【請求項１３】
請求項１に記載の耳栓構造と、イヤホンとを備え、前記イヤホンの本体は開口を介して収容空間内に設けられているイヤホン装置。
【請求項１４】
請求項６に記載の耳栓構造と、イヤホンとを備え、前記イヤホンの本体は、開口を介して収容空間内に設けられ、且つ前記ストッパーに凹溝を形成させることで前記導音部材を固定するイヤホン装置。
【考案の詳細な説明】
【技術分野】
【０００１】
本考案は、導音構造、及び導音装置に関し、特に、耳栓構造、及びイヤホン装置に関する。
【背景技術】
【０００２】
耳栓型（平頭型）イヤホンは、構造が簡単で、軽量であるため、流行が続いている。従来の耳栓型（平頭型）イヤホンとして、例えば、アップルコンピュータ社（ＡＰＰＬＥ  ＣＯＭＰＵＴＥＲ，ＩＮＣ）のイヤホンにＡｉｒＰｏｄｓ及びＥａｒＰｏｄｓのタイプがある。しかし、このようなイヤホンでは、外耳内に放置することにより耳につけるため、音が耳道まで伝達されにくく、導音効果が制限されている。また、従来技術では、耳栓型（平頭型）イヤホン、例えば、アップルコンピュータ社（ＡＰＰＬＥ  ＣＯＭＰＵＴＥＲ，ＩＮＣ）のイヤホンであるＡｉｒＰｏｄｓ及びＥａｒＰｏｄｓのタイプには、良好な導音効果を有する耳栓構造を備えていない。
【０００３】
そのため、耳栓構造、及びイヤホン装置を提供することにより、従来技術における問題を解決する必要がある。
【考案の概要】
【考案が解決しようとする課題】
【０００４】
本考案の１つの目的は、良好な導音効果を有する耳栓構造を提供することである。
【０００５】
本考案の別の目的は、良好な導音効果を有するイヤホン装置を提供することである。
【０００６】
上記目的の少なくとも１つを達成するために、本考案の一実施例は、導音部と、本体部と、導音部材と、を備える耳栓構造を提供する。導音部は、耳の耳道に挿入することに適し、導音チャンバ及び導音出力開口を含み、導音チャンバは導音部の内部に設けられ、導音出力開口は導音部に設けられ、音を耳道に出力するために用いられる。本体部は、導音部から外に延在し、耳の耳介領域に対して適合し、収容空間及び開口を含み、収容空間は本体部の内部に設けられ、且つ導音チャンバに連通し、開口が本体部に設けられ、且つ収容空間に連通し、導音部材は、導音チャンバ内に位置づけられている。  
【０００７】
本考案の一実施例において、導音部材は、湾曲した管状構造である。
【０００８】
本考案の一実施例において、導音部材は、前開口及び導音通路を含み、前開口が本体部に向かい、導音通路が導音部材の内部に設けられ、且つ前開口に連通する。
【０００９】
本考案の一実施例において、導音部の内面に複数の支持バーが設けられている。
【００１０】
本考案の一実施例において、これらの支持バーは、複数の軟性支持バーであって、隙間を形成するためのものである。
【００１１】
本考案の一実施例において、本体部の内面にストッパーが設けられている。
【００１２】
本考案の一実施例において、ストッパーは、本体部の内面に沿って取り囲まれて、開孔を形成する。
【００１３】
本考案の一実施例において、ストッパーの設置位置が導音部に近い。
【００１４】
本考案の一実施例において、導音部は、湾曲した管状構造である。
【００１５】
本考案の一実施例において、開口の対向する方向が、導音出力開口の対向する方向と異なる。
【００１６】
本考案の一実施例において、導音部の幅が本体部の幅より小さい。
【００１７】
本考案の一実施例において、導音部が耳道に挿入された場合に、本体部は耳の外耳内に位置する。
【００１８】
上記目的の少なくとも１つを達成するために、本考案の一実施例は、上記耳栓構造とイヤホンとを備え、イヤホンの本体は開口を介して収容空間内に設けられているイヤホン装置を提供する。
【００１９】
本考案の一実施例において、イヤホンの本体は、ストッパーに凹溝を形成させることで導音部材を固定するために用いられる。
【００２０】
本考案の実施例において、導音部は耳道に挿入することに適するため、耳道と密閉状態を形成し、且つ導音部材を導音チャンバ内に位置づけることで、音を耳道に直接伝達し、音漏れを防止することができるため、本考案の実施例に係る耳栓構造は、良好な導音効果を有する。
【図面の簡単な説明】
【００２１】
【図１】本考案の一実施例に係る耳栓構造の組み立て斜視図である。
【図２】本考案の一実施例に係る耳栓構造の別の視点の斜視図である。
【図３】本考案の一実施例に係る耳栓構造の断面図である。
【図４】本考案の一実施例に係る耳栓構造の断面図である。
【図５】本考案の一実施例に係る導音部材の斜視図である。
【図６】本考案の一実施例に係る導音部材の別の視点の斜視図である。
【図７】本考案の別の実施例に係るイヤホン装置の組み立て斜視図である。
【考案を実施するための形態】
【００２２】
本考案の上記目的、特徴及び利点を分かりやすくするために、以下、本考案の好ましい実施例及び図面を参照しながら、詳しく説明する。本考案における方向用語、例えば「上」、「下」、「底」、「頂」、「前」、「後」、「左」、「右」、「内」、「外」、「側面」、「周囲」、「中央」、「水平」、「横方向」、「縦方向」、「垂直」、「軸方向」、「径方向」、「最上層」、又は「最下層」等は、図面における方向に過ぎない。よって、用いられる方向用語は、本考案を説明及び理解するためのもので、本考案を制限しない。
【００２３】
図１、２、３、４に示すように、本考案の実施例に係る耳栓構造１０は、導音部１００と、本体部２００と、導音部材３００とを備える。導音部１００は、使用者の耳の耳道に挿入されることに適し、導音チャンバ１１０及び導音出力開口１２０を含み、導音チャンバ１１０は導音部１００の内部に設けられ、導音出力開口１２０は導音部１００に設けられ、音を耳道に出力するために用いられる。本体部２００は、導音部１００から外に延在し、耳の耳介領域に対して適合する。本体部２００は、収容空間２１０及び開口２２０を含み、収容空間２１０は本体部２００の内部に設けられ、且つ導音チャンバ１１０に連通し、開口２２０は本体部２００に設けられ、且つ収容空間２１０に連通する。導音部材３００は、導音チャンバ１１０内に位置づけられている。
【００２４】
本考案の実施例において、導音部１００は耳道に挿入することに適するため、耳道と密閉状態を形成し、且つ導音部材３００を導音チャンバ１１０内に位置づけることで、音を耳道に直接伝達し、音漏れを防止することできるため、本考案の実施例に係る耳栓構造１０は、良好な導音効果を有する。
【００２５】
さらに、本体部２００は耳の耳介領域に対して適合するため、本考案の実施例に係る耳栓構造１０は、快適なつけ心地を有する。導音部１００は使用者の耳道に挿入することに適し、及び本体部２００は耳の耳介領域に対して適合するように設計されることにより、本考案の実施例に係る耳栓構造１０は、つけ心地が快適で、耳に係合しやすく、係合が固く、人間工学に合致し、良好な導音効果を有する等の利点を有する。
【００２６】
本考案の一実施例において、導音部１００の内面に複数の支持バー１３０が設けられている。具体的には、これらの支持バー１３０は、複数の軟性支持バーであって、隙間を形成するものである。軟性支持バーにより隙間を形成することにより、導音部１００が弾性を有し、耳栓構造１０が異なる使用者の外耳輪郭のサイズ、深さに適用されるため、つけ心地が快適で、耳への係合が固く、人間工学に合致する利点を有する。また、支持バー１３０の設置により、導音部１００は断裂・変形しにくく、導音部１００全体の強度が向上される。
【００２７】
本考案の一実施例において、導音部１００の幅は本体部２００の幅より小さい。導音部１００が耳道に挿入された場合に、本体部２００は耳の外耳に位置する。具体的には、導音部１００は、例えば、ゴム又はシリコーン材料で製造された可撓性、弾性を有する導音管である。導音部１００は、湾曲した管状構造であってもよい。導音部１００は、例えば、軟質プラスチックであり、それにより、導音部１００が耳道に挿入される際に、快適で、滑り止め効果を有する。
【００２８】
本考案の一実施例において、本体部２００は、例えば、ゴム又はシリコーン材料で製造される可撓性、弾性を有する碗状部材である。本体部２００は、例えば、軟質プラスチックであり、それにより、耳の外耳に接触する際に、快適で、滑り止め効果を有する。具体的には、本体部２００の内面にストッパー２３０が設けられている。ストッパー２３０は、本体部２００の内面に沿って取り囲まれて、開孔２４０を形成する。ストッパー２３０の設置位置は導音部１００に近い。
【００２９】
本考案の一実施例において、導音部材３００は導音部１００の底板１４０の表面に直接位置づけられてもよい。導音部１００の支持バー１３０は導音部材３００を支持、固定する。導音部材３００は、湾曲した管状構造であってもよい。導音部材３００は、硬質材料であってもよい。図５、６に示すように、導音部材３００は、前開口３１０及び導音通路３２０を含み、前開口３１０は本体部２００に向かい、導音通路３２０は導音部材３００の内部に設けられ、且つ前開口３１０に連通される。導音部材３００は、導音部１００の底板１４０及び支持バー１３０に対して移動又は回転することができ、それにより、導音通路３２０の角度を調整することができる。また、底板１４０の設置により、導音部材３００は導音チャンバ１１０内に制限され、導音チャンバ１１０から外れるのを回避することができる。
【００３０】
図７に示すように、本考案の一実施例は、上記耳栓構造１０及びイヤホン２０を備え、イヤホン２０の本体が開口２２０を介して耳栓構造１０の本体部２００の収容空間２１０内に設けられているイヤホン装置３０を提供する。また、ストッパー２３０に凹溝を形成させることで導音部材３００を固定することにより、イヤホン２０と導音部材３００との接続部位の音漏れを防止し、イヤホン２０が導音部材３００に傷つけられることを防止する。本考案の一実施例において、イヤホン２０は、例えば、アップルコンピュータ社（ＡＰＰＬＥ  ＣＯＭＰＵＴＥＲ，ＩＮＣ）のイヤホンであるＡｉｒＰｏｄｓ及び、ＥａｒＰｏｄｓのタイプである。
【００３１】
本考案の実施例において、導音部１００は耳道に挿入することに適するため、耳道と密閉状態を形成し、且つ導音部材３００を導音チャンバ１１０内に位置づけることで、音を耳道に直接伝達し、音漏れを防止することができるため、本考案の実施例に係る耳栓構造１０は、良好な導音効果を有する。
【００３２】
上記より、本考案は好ましい実施例により開示されたが、上記の好ましい実施例は本考案を限定するものでなく、本考案の趣旨及び範囲を脱出しない限り、当業者であれば、様々な変更及び修飾を加えることができるため、本考案の保護範囲は、特許請求の範囲に基づくものである。
【符号の説明】
【００３３】
１０                耳栓構造
２０                イヤホン
３０                イヤホン装置
１００              導音部
１１０              導音チャンバ
１２０              導音出力開口
１３０              支持バー
１４０              底板
２００              本体部
２１０              収容空間
２２０              開口
２３０              ストッパー
２４０              開孔
３００              導音部材
３１０              前開口
３２０              導音通路
【図１】
0003213227.tif 000003
【図２】
0003213227.tif 000004
【図３】
0003213227.tif 000005
【図４】
0003213227.tif 000006
【図５】
0003213227.tif 000007
【図６】
0003213227.tif 000008
【図７】
0003213227.tif 000009